(57)【要約】【課題】夜中等暗がりで使用する際に、必要な部位のみ照らして眩しくないようにし、安心して使用することができ、製造も容易となる照明付便器を提供する。【解決手段】便器本体１の外周壁の前面側を覆うカバー部材２を備え、このカバー部材２に前方を照らす照明用発光部３を設けてなる照明付便器である。この場合、便器本体１の外周壁の前面側にカバー部材２を着脱自在に取り付けて備えており、透光性を有する合成樹脂でカバー部材２を形成し、このカバー部材２に照明用発光部３として多数のＬＥＤ４を散在するように埋設しており、多数のＬＥＤ４をカバー部材２の上側よりも下側の方が数多くなるように配置して散在させている。【選択図】図２
2007107256.tif 000002
【特許請求の範囲】
【請求項１】
便器本体の外周壁の前面側を覆うカバー部材を備え、このカバー部材に前方を照らす照明用発光部を設けてなる照明付便器。
【請求項２】
便器本体の外周壁の前面側にカバー部材を着脱自在に取り付けて備えたことを特徴とする請求項１記載の照明付便器。
【請求項３】
透光性を有する合成樹脂でカバー部材を形成し、このカバー部材に照明用発光部として多数のＬＥＤを散在するように埋設したことを特徴とする請求項１又は２記載の照明付便器。
【請求項４】
多数のＬＥＤをカバー部材の上側よりも下側の方が数多くなるように配置して散在させたことを特徴とする請求項３記載の照明付便器。
【発明の詳細な説明】
【技術分野】
【０００１】
本願発明は、便器本体に照明機能を付与した照明付便器に関するものである。
【背景技術】
【０００２】
従来から、照明付便器として種々のものが提案されている。例えば、特許文献１（特開２００１−１２０４４８号公報）には、便器本体、便座、便蓋等の便器全体の表面に多数のＬＥＤを埋設した照明付便器が示されている。この場合、美観が高められ、暗がりでも便器の位置が分かるようになるとされている。また、特許文献２（特開平１−２２３２３２号公報）には、便器本体の外周に垂設されたスカート部の内側に照明器具を設けた照明付便器が示されている。この場合、便器下方を照明することができ、周辺の清掃も容易になるとされている。
【特許文献１】特開２００１−１２０４４８号公報
【特許文献２】特開平１−２２３２３２号公報
【発明の開示】
【発明が解決しようとする課題】
【０００３】
しかしながら、上記特許文献１に示された従来例では、便器周辺の上方までもが明るく照らされてしまうため眩しく、夜中にトイレに入った際に目が覚めてしまって再び寝つき難くなり、しかも、便器本体が陶器である場合には、その表面に多数のＬＥＤを埋設することが困難であるという問題がある。また、上記特許文献２に示された従来例では、下方が照らされて眩しくはないものの、暗がりで便器の上面の位置が分かり難くて、使用時に不安を感じてしまい、更に、照明器具を設けるためにスカート部を形成していて、便器本体の形状は複雑となり、その製造が困難であるうという問題がある。
【０００４】
本願発明は、このような問題を解決すべく上記背景技術に鑑みてなされたもので、その課題は、夜中等暗がりで使用する際に、必要な部位のみ照らして眩しくないようにし、安心して使用することができ、製造も容易となる照明付便器を提供することである。
【課題を解決するための手段】
【０００５】
上記課題を解決するために、本願発明の照明付便器では、便器本体の外周壁の前面側を覆うカバー部材を備え、このカバー部材に前方を照らす照明用発光部を設けた。
【発明の効果】
【０００６】
本願発明の照明付便器においては、便器本体の外周壁の前面側に前方を照らす照明用発光部を備えているので、暗がりでも便器の上面の位置は分かりやすく、便器の前方の足元付近が照明用発光部によって照らされ、上方が明るく照らされることはなく、眩しくなくて便器を安心して使用することができる。しかも、便器本体とは別にその外周壁の前面側を覆うカバー部材を備え、このカバー部材に前記照明用発光部を設けているので、便器本体を複雑な形状とすることなく、これとは別体となるカバー部材に照明用発光部を設けることで、製造の容易化が図られる。
【発明を実施するための最良の形態】
【０００７】
図１、２は、本願の請求項１〜４全てに対応した一実施形態である照明付便器を示している。この実施形態の照明付便器では、便器本体１の外周壁の前面側を覆うカバー部材２を備え、このカバー部材２に前方を照らす照明用発光部３を設けている。この場合、便器本体１の外周壁の前面側にカバー部材２を着脱自在に取り付けて備えている。そして、透光性を有する合成樹脂でカバー部材２を形成し、このカバー部材２に照明用発光部３として多数のＬＥＤ４を散在するように埋設している。また、ここでは、多数のＬＥＤ４をカバー部材２の上側よりも下側の方が数多くなるように配置して散在させている。
【０００８】
以下、この実施形態の照明付便器を、より具体的詳細に説明する。便器本体１は様式の水洗便器であり、陶器で形成されて上方に開口したものである。便器本体１の後端部上には温水洗浄装置５が設置されており、この温水洗浄装置５には便座６及び便蓋７が枢支され具備されている。温水洗浄装置５は人体の局部を温水にて洗浄する機能を有するものであり、局部を温風により乾燥させる機能を有していてもよい。
【０００９】
また、温水洗浄装置５の前端部分には、便座６及び便蓋７が各別に回動されるように枢支されている。便座６はヒーターが内蔵される等して暖房機能を有しており、便蓋７は同便座６の上から便器本体１の上方開口部分を覆うように設けられている。この場合、便蓋７を開け、便座６を降ろして便器本体１上に載置した状態で、同便座６上に着座して照明付便器を使用することができる。
【００１０】
そして、便器本体１の両側には、略水平で前後方向に長い肘掛け用バー材８が配設されている。この場合、便器本体１の後部側方に回動軸９が突設されており、この回動軸９に一端が結合された支持バー材１０の他端に肘掛け用バー材８は結合固定されている。肘掛け用バー材８はその使用状態において、便器本体１の両側方でその上端より高い位置にて略水平とされ、不要な場合には、回動軸９を中心にして支持バー材１０と共に上側後方へと回動させることができる。肘掛け用バー材８は上側後方へと回動されると、便器本体１の側方後側で起立状態となり邪魔にならない。
【００１１】
便器本体１の外周壁の前面側には、図２に示すように、全体として一段低くなった段落ち凹所１ａが形成されており、カバー部材２はこの段落ち凹所１ａ内に嵌まり込むようにして着脱自在に取り付けられる。この場合、カバー部材２の背面にはその両側上下に係止凹部１１が配設されており、段落ち凹所１ａの底面にはその両側上下に係止凸部１２が配設されていて、各係止凹部１１を各係止凸部１２に係合させることで、カバー部材２は段落ち凹所１ａ内に着脱自在に取り付けられる。そして、図１に示すように、段落ち凹所１ａ内に取り付けられて嵌まり込んだカバー部材２の表面と、これに隣接する便器本体１の外周壁の両側表面とは、段差なく面一状に連続する。
【００１２】
また、カバー部材２はアクリル樹脂のような透明若しくは半透明で透光性を有する合成樹脂で形成され、便器本体１の外周壁の前面側に沿うよう全体として水平断面で略Ｕ字状に湾曲した形状とされる。そして、カバー部材２には照明用発光部３となる多数のＬＥＤ４が埋設一体化されており、この場合、多数のＬＥＤ４はカバー部材２の上側よりも下側の方が順次数多くなるように配列されている。なお、便器本体１とカバー部材２とはコード１３によって電気的にも接続されており、このコード１３を介して各ＬＥＤ４に電源供給される。
【００１３】
したがって、この実施形態の照明付便器においては、便器本体１の両側に略水平で前後方向に長い肘掛け用バー材８を配設しているため、両肘掛け用バー材８を持って身体を支えた状態で、便器本体１上の便座６に着座したりそこから立ち上がったりする動作を安全に行うことができる。そして、便器本体１の外周壁の前面側には前方を照らす照明用発光部３を備えているため、暗がりでも便器本体１の上方開口部分やその上の便座６等の位置は分かりやすく、便器本体１の前方の足元付近が照明用発光部３によって照らされ、上方が明るく照らされることはなく、眩しくなくて安心して使用することができ、夜中にトイレに入った際に目が覚めてしまって再び寝つき難くなることもなくなる。
【００１４】
しかも、便器本体１とは別にその外周壁の前面側を覆うカバー部材２を備え、このカバー部材２に前記照明用発光部３を設けているため、便器本体１を複雑な形状とすることなく、これとは別体となるカバー部材２に照明用発光部３を設けることで、製造の容易化が図られている。また、この場合、便器本体１の外周壁の前面側にカバー部材２は着脱自在に取り付けられるため、カバー部材２を取り外して、照明用発光部３のメンテナンスやその周辺の清掃を容易に行うことができる。
【００１５】
更に、カバー部材２が透光性を有する合成樹脂で形成され、このカバー部材２には照明用発光部３として多数のＬＥＤ４が散在するように埋設されているため、薄いカバー部材２でも小型軽量のＬＥＤ４でなる照明用発光部３は支障なくコンパクトに納まり、散在する多数のＬＥＤ４によってカバー部材２全体が発光して、便器本体１の前方周辺はより広範囲に明るく照らされる。しかも、ここで、多数のＬＥＤ４はカバー部材２の上側よりも下側の方が数多くなるように配置して散在されているため、便器本体１の前方周辺は下方の足元付近がより効果的に照らされる。
【図面の簡単な説明】
【００１６】
【図１】本願発明の一実施形態である照明付便器のカバー部材を取り付けた状態を示す斜視図。
【図２】同照明付便器のカバー部材を取り外した状態を示す斜視図。
【符号の説明】
【００１７】
１  便器本体
１ａ  段落ち凹所
２  カバー部材
３  照明用発光部
４  ＬＥＤ
５  温水洗浄装置
６  便座
７  便蓋
８  肘掛け用バー材
９  回動軸
１０  支持バー材
１１  係止凹部
１２  係止凸部
１３  コード
【図１】
2007107256.tif 000003
【図２】
2007107256.tif 000004